(57)【要約】      （修正有）【課題】紙のカルテと同様に直観的な入力を可能とし、電子カルテの持つ特殊性を勘案した電子カルテを提供する。【解決手段】双方向通信回線を介してサーバーと通信を行うことで表示すべき情報を取得するブラウザであって、紙カルテに記載する複数の入力項目２が、ブラウザによって表示される１枚のシートに入力され、上記複数の入力項目のうち、予め決まった選択肢より選択可能な選択入力項目のそれぞれに対応して、対応する上記選択入力項目の表示位置近傍に配置された入力開始ボタン４が選択された際に、選択肢を表示するための選択肢表示手段と、選択肢表示手段から入力する選択肢を選択する選択手段とを有する。選択肢表示手段は、選択入力項目の表示位置近傍に複数の選択肢を表示するモジュールを開く。選択手段は、複数の選択肢を表示するモジュールを閉じ、複数の選択肢より選択された選択肢を選択入力項目の表示位置近傍に表示する。【選択図】図１
2017215879.tif 000002
【特許請求の範囲】
【請求項１】
双方向通信回線を介してサーバーと通信を行うことで表示すべき情報を取得するブラウザであって、
紙カルテに記載する複数の入力項目が、上記ブラウザによって表示される１枚のシートに入力され、
上記複数の入力項目のうち、予め決まった選択肢より選択可能な選択入力項目のそれぞれに対応して、
対応する上記選択入力項目の表示位置近傍に配置された入力開始ボタンが選択された際に、選択肢を表示するための選択肢表示手段と、
当該選択肢表示手段より、入力する選択肢を選択する選択手段と、
を有し、
上記選択肢表示手段は、上記選択入力項目の表示位置近傍に複数の選択肢を表示するモジュールを開き、
上記選択手段は、上記複数の選択肢を表示するモジュールを閉じ、上記複数の選択肢より選択された選択肢を上記選択入力項目の表示位置近傍に表示する
ことを特徴とする電子カルテ。
【請求項２】
上記予め決まった選択肢より選択可能な選択入力項目のうち、選択肢が多岐に渡る選択入力項目に関しては、
選択肢を検索するための検索手段をさらに有し、
上記検索手段は、対応する上記選択入力項目の表示位置近傍に配置された入力開始ボタンが選択された際に、対応する上記選択入力項目の表示位置近傍に検索ワード入力モジュールを開き、
上記検索ワード入力モジュールに入力された文字情報と上記選択入力項目とが上記双方向通信回線を介して上記サーバーに送信され、
上記サーバーが上記文字情報と上記選択入力項目に基づいて決定する複数の選択肢に関する情報が、上記双方向通信回線を介して上記ブラウザに送信され、
上記選択肢表示手段は、上記複数の選択肢に関する情報に基づいて、上記選択入力項目の表示位置近傍に複数の選択肢を表示するモジュールを開き、
上記選択手段は、上記検索ワード入力モジュールと上記複数の選択肢を表示するモジュールを閉じ、上記複数の選択肢より選択された選択肢を上記選択入力項目の表示位置近傍に表示する
ことを特徴とする請求項１に記載の電子カルテ。
【請求項３】
上記検索ワード入力モジュール、および上記複数の選択肢を表示するモジュールは必要最小限の大きさであることを特徴とする請求項２に記載の電子カルテ。
【発明の詳細な説明】
【技術分野】
【０００１】
本発明は、電子カルテに関するものであり、特に、紙の電子カルテと同様の感覚で入力を行うことができる電子カルテに関するものである。
【背景技術】
【０００２】
電子カルテは、従来から医師や歯科医師が診療の経過を記録していた紙のカルテに代わるものであり、カルテに記録されている情報を電子情報として保存し、管理するものである。
現在、使用されている電子カルテは、大きく分けて２種類のものがある。
【０００３】
ひとつは、電子ペン入力デバイスを用いて筆記することで、必要な情報を入力するものである。紙カルテに慣れた医師等が習熟を必要とせず、紙カルテと同様の感覚で入力ができるという長所がある。
一方、情報がイメージ情報として記録されるため、記録した情報の検索等の活用や整理等の管理が困難であるという短所がある。
【０００４】
もう一つの種類の電子カルテは、キーボード等の文字入力デバイスやマウス等のポインティングデバイスを用いて、必要な情報を入力するものである。例えば、診療記録等の項目に関しては、キーボード等を用いて文字入力を行う。そして、病名や診療行為、処方等に関しては、別の入力画面（入力シート）を開き、入力すべき候補を検索し、検索結果から選択される病名等の選択事項を記録する（例えば、特許文献１、特に、００１１段落、図３等）。
【先行技術文献】
【特許文献】
【０００５】
【特許文献１】特開２０００−３６００４
【発明の概要】
【発明が解決しようとする課題】
【０００６】
特許文献１に開示された電子カルテにおいては、情報がイメージ情報ではなく、文字情報として記録されるため、記録した情報の活用や管理が容易であるという大きな長所がある。また、病名等の入力事項を検索できるため、適切な入力事項を選択可能であり、また、入力事項を忘れた場合でも、適切な入力事項を入力できる。
【０００７】
しかし、入力に際して別シートを開くため、紙のカルテに比べて、使用しづらいという問題点がある。それは、他の様々な情報を記録するケースと比べて、電子カルテには特殊性があるためである。例えば、売上等の経理情報を記録するようなケースにおいては、伝票等に記録された情報を、機械的に入力すれば良い。一方、電子カルテにおいては、医師等の有する専門性や経験に基づく高度な判断を伴った情報の入力が必要である。例えば、患者から問診で得た情報に基づき、必要と考えられる検査を選択したり、検査結果から、問診で得た情報のうち、軽視していた情報が重要であったと思いなおして、診療記録を書き直したりすることがある。このように、入力すべき情報を順に、機械的に入力するのではなく、様々な判断を行いながら入力を行う必要があるため、入力項目の順番はランダムになったり、一度入力した情報を書き換えたりすることが必要であり、制約の少ないフレキシブルな入力システムが望ましい。
特許文献１に開示された電子カルテのように入力項目ごとに別シートを開いて入力を行うシステムにおいては、入力項目を跨いで入力を行うことは困難である。ひとつの入力項目を完全に入力し終えた後に、別の項目を入力することが必要であるため、入力の手順が制約を受けることになってしまう。また、別シートを開くため、別シートに隠れて他の入力済みの事項が見えなくなり、必要な判断を行うための情報が分からなくなるという大きな問題も生じる。
【０００８】
また、売上等の経理情報を記録するようなケースにおいては、仕事が終わってから、入力作業だけを集中して行うことが可能である。一方、医師等は、問診や治療を行いながら電子カルテを入力するため、より入力しやすいシステムが望まれる。
【０００９】
本発明は、上記のような様々な問題点を解決するためになされたものであり、紙のカルテと同様の感覚で入力ができる電子カルテを提供するものである。
【課題を解決するための手段】
【００１０】
本発明に係る電子カルテは、双方向通信回線を介してサーバーと通信を行うことで表示すべき情報を取得するブラウザであって、
紙カルテに記載する複数の入力項目が、上記ブラウザによって表示される１枚のシートに入力され、
上記複数の入力項目のうち、予め決まった選択肢より選択可能な選択入力項目のそれぞれに対応して、
対応する上記選択入力項目の表示位置近傍に配置された入力開始ボタンが選択された際に、選択肢を表示するための選択肢表示手段と、
当該選択肢表示手段より、入力する選択肢を選択する選択手段とを有し、
上記選択肢表示手段は、上記選択入力項目の表示位置近傍に複数の選択肢を表示するモジュールを開き、
上記選択手段は、上記複数の選択肢を表示するモジュールを閉じ、上記複数の選択肢より選択された選択肢を上記選択入力項目の表示位置近傍に表示することを特徴とする。
【００１１】
また、本発明に係る電子カルテは、上記予め決まった選択肢より選択可能な選択入力項目のうち、選択肢が多岐に渡る選択入力項目に関しては、
選択肢を検索するための検索手段をさらに有し、
上記検索手段は、対応する上記選択入力項目の表示位置近傍に配置された入力開始ボタンが選択された際に、対応する上記選択入力項目の表示位置近傍に検索ワード入力モジュールを開き、
上記検索ワード入力モジュールに入力された文字情報と上記選択入力項目とが上記双方向通信回線を介して上記サーバーに送信され、
上記サーバーが上記文字情報と上記選択入力項目に基づいて決定する複数の選択肢に関する情報が、上記双方向通信回線を介して上記ブラウザに送信され、
上記選択肢表示手段は、上記複数の選択肢に関する情報に基づいて、上記選択入力項目の表示位置近傍に複数の選択肢を表示するモジュールを開き、
上記選択手段は、上記検索ワード入力モジュールと上記複数の選択肢を表示するモジュールを閉じ、上記複数の選択肢より選択された選択肢を上記選択入力項目の表示位置近傍に表示することを特徴とする。
【００１２】
さらに、上記検索ワード入力モジュール、および上記複数の選択肢を表示するモジュールは必要最小限の大きさであることを特徴とする。
【発明の効果】
【００１３】
本発明に係る電子カルテは上記のように構成されているので、以下に示す多くの特長を有している。
第一に、紙の電子カルテと同様の感覚で入力可能であるため、習熟期間を必要とせず、直観的な使用が可能である。したがって、病院等に常駐する医師だけではなく、週に一回といった頻度で勤務する医師でも、容易に使用できる。
【００１４】
第二に、別シートが開かないため、入力項目の順番にとらわれずに、ランダムな順に入力を行ったり、一度入力した情報を書き換えたりすることが容易である。
また、別シートに隠れて他の入力済みの事項が見えなくなることがないため、電子カルテの記載事項全般が常に認知可能であり、電子カルテの記載事項全般に基づいて必要な判断を行うことができる。
さらに、入力や表示が、常にシート内の近傍位置で行われるため、目線が飛ぶことなく、入力や入力後の確認が行える。特に、カルテは問診や触診等の診療行為、あるいは治療行為を行いながら入力することが常であるため、目線はカルテと患者とを往来する。したがって、患者の方を向いている際に、入力や表示の位置が変わると、視覚上混乱をきたすといった問題が起きやすいが、本発明の電子カルテでは、そのようなことは生じない。
【００１５】
第三に、ウェブブラウザであるため、アプリケーションをインストールすることなく、直ちに使用できる。また、検査や病名、あるいは薬の追加や削除、報酬改正といった頻繁に生じる様々な改正に直ちに対応できる。すなわち、アプリケーションの場合にように、アプリケーションのアップデートを必要としない。
【００１６】
第四に、カルテとなるシートの書き換えは、検索ワード入力モジュールや複数の選択肢を表示するモジュール等の限定されたモジュールや、選択された選択肢といった限られた表示データのみであるため、高速で書き換えが可能である。また、サーバーとの通信も検索ワードの送信や、それに対応する選択肢の受信といった場合に限られ、いずれも文字情報であるため、送受信の頻度や送受信データ量を最小限に抑えることが可能である。したがって、シートの書き換え等の動作を高速に実行でき、また、通信環境が不安定な場合においても使用できる。
このような特長を備えているため、入力にストレスを感じることなく、入力作業を迅速に行うことができる。そして、書き換え等が高速で行われるため、医師等の思考が途切れることなく、判断に悪影響を与えることがない。
また、病室への回診等の際に、無線ＬＡＮ等の不安定な回線で接続されたモバイル機器を使用し、カルテに入力することも可能である。
【図面の簡単な説明】
【００１７】
【図１】本発明に係る電子カルテの入力シートのイメージ図である。
【図２】本発明に係る電子カルテの入力シートのイメージ図であり、入力事項を選択する際のシートを示す図である。
【図３】本発明に係る電子カルテの入力シートのイメージ図であり、選択肢を選択する際のシートを示す図である。
【図４】本発明に係る電子カルテの入力シートのイメージ図であり、選択された選択肢が表示された際のシートを示す図である。
【図５】本発明に係る電子カルテの入力事項を選択する際の機能ブロック図である。
【図６】本発明に係る電子カルテの入力事項を選択する際のフロー図である。
【図７】本発明に係る電子カルテの入力シートの部分イメージ図であり、複数の選択肢を選択する際に用いるモジュールを示す図である。
【発明を実施するための形態】
【００１８】
本発明に係る電子カルテの構成およびその使用方法等に関して、以下において、図面を用いて説明する。なお、以下の説明は本発明に関する良好な一例を開示するものであり、本発明が当該実施の形態に限定されるものではない。
【００１９】
実施の形態
＜システムの全体構成＞
本発明に係る電子カルテは、インターネット等の双方向通信回線を介してサーバーと通信を行うことで表示すべき情報を取得するブラウザであり、インターネットを双方向通信回線として利用する場合はウェブブラウザである。
電子カルテを使用するための端末は、ＰＣであっても良いし、スマートフォンやタブレット型ＰＣといったモバイル端末であっても良い。有線や無線で双方向通信回線と接続されていればよい。通信環境は良好であることが望ましいが、不安定な通信環境でも使用できるものである。
【００２０】
サーバーは、例えば、病院内に設置されているローカルサーバーであっても良いが、望ましくは、電子カルテ提供業者等が管理するサーバーである。すなわち、電子カルテ提供業者等が管理する集中サーバー等が良い。
カルテの入力項目は、予め決まった選択肢より選択する項目が多い。例えば、病名、診察行為、検査、処方、注射といった項目に入力する事項は予め定められた選択肢より選択する。これらの選択肢は、常に一定ではなく、定期的に、あるいは不定期に、かつ頻繁に追加や削除される。電子カルテ提供業者等が管理するサーバーであれば、これらの選択肢の改訂を直ちに反映しやすいため、電子カルテのサーバーとして望ましい。
【００２１】
＜電子カルテの入力シート＞
次に、本発明に係る電子カルテの入力シートについて、図１から図４を用いて説明する。図１は、電子カルテの入力シートのイメージ図である。電子カルテ１は、診療記録、病名、診療行為といった複数の入力項目２からなっている。紙カルテに記載する複数の項目が、上記ブラウザによって表示される１枚のシートに入力される。各入力項目２の表示位置は、紙カルテにおける各項目の表示位置に対応させている。紙カルテを使い慣れた医師等が馴染みやすくするためである。
なお、入力項目２は、診療記録、病名、診療行為等複数あるが、図１においては、図が煩雑になるのを避けるため、「病名」だけに記号「２」を付している。以下に説明する入力開始ボタンについても同様であり、また、図２以下に関しても同様である。
【００２２】
診療記録のテキスト入力欄３は、医師等が実施した診療内容をテキスト入力で記載可能な欄である。
病名、診療行為、検査、画像、処方、注射、自費といった入力項目２に関しては、予め決まった選択肢より選択可能な選択入力項目であり、本電子カルテのシステムが提示する選択肢より、適切な選択肢を選択できる。
【００２３】
なお、選択入力項目には２種類あり、画像、注射、自費に関しては、選択肢が多くないため、いきなり複数の選択肢が表示される。例えば、注射に関して入力を行いたい場合には、注射という入力項目２の近傍にある「+ａｄｄ」と記載された入力開始ボタン４をポインティングデバイスやキーボードのカーソルキー等で選択すると、皮下注射、筋肉内注射等の数十の選択肢を表示するモジュールが開く。ただし、表示スペースを小さくするため、表示スペースに表示される選択肢は１０程度とし、スクロールにより、すべての選択肢を表示するようにすることが望ましい。
一方、病名、診療行為、検査、および処方は、選択肢が非常に多いため、まず、テキスト入力でキーワードを入力し、キーワードに関連した複数の選択肢を表示するモジュールが開く。
本実施の形態においては、前者を少数選択入力項目、後者を多数選択入力項目と呼ぶことにする。
【００２４】
次に、多数選択入力項目を入力する際の具体的な入力方法の一例を、図１から図４に示す電子カルテの入力シートのイメージ図を用いて説明する。
まず、診察行為という多数選択入力項目に入力を行う際には、図１に示すように、その項目のすぐ下にある「+ａｄｄ」と記載された入力開始ボタン４をマウスを用いてクリックする。
【００２５】
そうすると、その項目が表示された近傍で検索ワード入力モジュール５が開く（図２）。そして、この検索ワード入力モジュール５にキーワードを入力すると、そのキーワードに関連する複数の診療行為が選択肢として表示される（図３）。
より具体的には、検索ワード入力モジュール５に入力された文字情報であるキーワードと、入力項目２である「診療行為」とが、双方向通信回線を介してサーバーに送信され、サーバーが文字情報であるキーワードと入力項目２である「診療行為」に基づいて決定する複数の選択肢に関する情報が、双方向通信回線を介してブラウザに送信される。そして、複数の選択肢に関する情報に基づいて、入力項目２である「診療行為」の表示位置近傍に複数の選択肢を表示するモジュール６が開く。この選択肢が多数ある際には、表示スペースを小さくするため、表示スペースに表示される選択肢は１０程度とし、スクロールにより、すべての選択肢を表示するようにすることが望ましい。
【００２６】
そして、医師等が適切と考える選択肢をクリック等により選択すると、検索ワード入力モジュール５と複数の選択肢を表示するモジュール６が閉じ、入力項目２である「診療行為」の表示位置近傍に選択された選択肢７が表示される（図４）。
【００２７】
なお、選択肢７が選択された際に、その選択肢７に関する属性の入力が必要な場合には、属性表示８を表示する。図４の例においては、選択肢７の診療行為の回数が属性となる。属性表示８は、例えば、それをクリックすることで、２回、あるいは３回等と、属性を変更することができる。
【００２８】
また、一旦入力した事項を削除するために、削除のためのボタン９が表示される。
診療行為が複数の行為である場合には、「+ａｄｄ」と記載された入力開始ボタン４をクリックすることで、診療行為を追加できる。
【００２９】
なお、検索ワード入力モジュール５、および複数の選択肢を表示するモジュール６の大きさは、必要最小限の大きさが望ましい。必要最小限とは、検索ワード入力モジュール５の場合には、電子カルテ１に使われている文字の大きさと同程度の大きさで記載できるスペースが設けられていれば良く、複数の選択肢を表示するモジュール６の場合には、やはり同程度の大きさの文字で１０程度の選択肢が表示できるスペースが設けられていれば良いということを意味する。このようにすることで、いずれのモジュールも見やすく、且つ、周りの項目をほとんど隠すことがない。
【００３０】
＜入力したい選択肢を選択するフロー＞
次に、上述した入力に関するフローを図５および図６を用いて説明する。図５は、機能ブロック図、図６はフロー図である。図６において、左側は医師等の入力者の行う動作であり、右側は電子カルテ１が行う動作である。また、黒矢印は、サーバー１００との通信を伴うことを示している。
まず、入力したい入力項目２を選択する（Ａ１）。具体的には、入力したい近傍に表示された「+ａｄｄ」と記載された入力開始ボタン４をクリック等により選択する。
【００３１】
これにより、選択肢を検索するための検索手段１１が起動され、検索手段１１は、検索ワード入力モジュール５を入力項目２の近傍に開く（Ｂ１）。
次に、検索ワード入力モジュール５にキーワードを入力する（Ａ２）。
検索手段１１は、入力されたキーワードと入力項目２をサーバー１００に送信する。サーバー１００は、キーワードと入力項目２に基づいて複数の選択肢に関する情報を決定し、その情報を送信する。その情報を受けた選択肢表示手段１２は、複数の選択肢を表示するモジュール６を開く（Ｂ２）。
【００３２】
入力者は、複数の選択肢を表示するモジュール６の中から適切な選択肢を選択する（Ａ３）。
選択された選択肢は、選択手段１３に渡され、選択手段１３は、検索ワード入力モジュール５と複数の選択肢を表示するモジュール６を閉じる（Ｂ３）。そして、選択された選択肢を入力項目２の近傍に表示する（Ｂ４）。
以上が、一連の入力動作である。
【００３３】
多数選択入力項目の入力動作について具体的に説明したが、少数選択入力項目の入力動作は、検索を行わない点を除いて、ほぼ同様である。すなわち、少数選択入力項目の入力動作は、入力項目２の表示位置近傍に配置された入力開始ボタン４が選択された際に、選択肢を表示するための選択肢表示手段１２と、この選択肢表示手段１２より、入力する選択肢を選択する選択手段１３とを有し、選択肢表示手段１２は、選択入力項目２の表示位置近傍に複数の選択肢を表示するモジュール６を開き、選択手段１３は、複数の選択肢を表示するモジュールを閉じ６、複数の選択肢より選択された選択肢７を選択入力項目２の表示位置近傍に表示するものである。
【００３４】
＜上記以外の構成＞
本発明の実施の形態に係る電子カルテの構成や動作について説明してきたが、上記と異なる構成も可能であり、以下にその例を示す。
少数選択入力項目に関しても、検索手段を設けて、選択肢を絞り込めるようにしても良い。
また、複数の選択肢を表示するモジュール６に表示される選択肢の順番は、過去に多く選択された順に並べるようにしても良い。これにより、選択肢を選択する作業を効率化できる。
さらに、選択肢はひとつだけ選択されるのではなく、複数の選択肢から２以上の選択肢を選択しなければならない場合もある。例えば、入力項目の「処方」においては、図７に示すように、２つの選択肢からいずれも選択する可能性がある選択肢もある。このような場合には、選択肢の左にチェックボックスを設け、どちらか１つ、あるいは両方のチェックボックスにチェックを入れることができるようにすればよい。
【００３５】
各入力項目２の近傍に、確定ボタンを設けても良い。選択した選択肢を確定させ、サーバー１００にその情報を送るためである。あるいは、電子カルテ１のシート全体に対する確定ボタンを設け、電子カルテ１全体の情報をサーバーに一括に送信するようにしても良い。
【００３６】
また、本発明は入力方法等に関するものであるが、完成した電子カルテの表示に関しては、同一患者のこれまでのカルテを上下に並べて表示するようにしても良い。新しいカルテほど上部に表示することが望ましい。ブラウザの特徴のひとつは、上下のスクロールを高速に行えることであり、カルテを上下に並べることで、上下のスクロール動作により、現在から過去に至る患者のカルテを迅速に一覧できる。
【００３７】
＜本発明の背景と特長＞
本発明に係る電子カルテが必要とされる背景と、本発明に係る電子カルテの特長に関して以下にまとめる。
電子カルテの主流は、キーボード等の文字入力デバイスやマウス等のポインティングデバイスを用いて、必要な情報を入力するものである。前述したように、情報の活用や管理が容易であるためである。しかし、現状においては、必ずしも使いやすいものとは言えず、多くの課題が存在する。
【００３８】
その原因は、電子カルテの持つ特殊性が考慮されることなく、システムが構成され、入力方法が設計されているためである。
これまでの電子カルテは、紙カルテの代替として使用されつつあるが、操作が難しく、慣れるまでに相当の期間が必要である。毎日、同じ電子カルテを使用するのであれば、慣れるまでに多少の期間を要しても問題はない。しかし、病院等においては、常勤の医師だけではなく、非常勤の医師や、臨時に診療する医師も診察することがあり、電子カルテを使用するのに期間を要することは大きな問題である。こういった問題を防止するため、医師ではなく、補助スタッフが電子カルテの入力を行う病院もあり、人件費が増加するという別の問題も生じている。
【００３９】
また、記録内容に高度な判断を必要とするカルテの場合、できるだけフレキシブルに入力を行えることが望ましい。入力項目を順にではなく、ランダムに入力しやすくする等の配慮が必要である。また、常にカルテ全体を参照しながら高度な判断を行うことが必要であるため、入力時に、常にカルテ全体が一読できることも大事である。
【００４０】
さらに、問診や治療を行いながら入力できる、入力のしやすさも必要である。医師は、端末の画面だけを見て入力を行うのではなく、患者の話を聞いたり、触診したりしながら、カルテに記録を行う。そのため、見ていた電子カルテの位置が、患者の方を向いている間に変化するような電子カルテは好ましくない。また、入力後のレスポンスが遅かったり、表示の書き換えに時間を要するような電子カルテは望ましくなく、入力したいタイミングで入力ができないため、診療中の医師にストレスを与えるといった問題も生じる。
【００４１】
また、検査や病名、あるいは薬の追加や削除、報酬改正といった様々な改正が頻繁になされるため、こういった改正に迅速に対応できる電子カルテが必要である。
【００４２】
また、医師は病室に回診に行ったり、患者宅に往診に行く場合もあり、常に良好な通信環境の中でカルテを使用するわけではない。そのため、無線ＬＡＮ等の不安定な通信環境でも使用できる電子カルテが望ましい。
【００４３】
本発明は、このような電子カルテの持つ特殊性を勘案してなされたものであり、以下に示す多くの優れた特長を有している。
第一に、紙の電子カルテと同様の感覚で入力可能であるため、習熟期間を必要とせず、直観的な使用が可能である。したがって、病院等に常駐する医師だけではなく、週に一回といった頻度で勤務する医師でも、容易に使用できる。
【００４４】
第二に、別シートが開かないため、入力項目の順番にとらわれずに、ランダムな順に入力を行ったり、一度入力した情報を書き換えたりすることが容易である。
また、別シートに隠れて他の入力済みの事項が見えなくなることがないため、電子カルテの記載事項全般が常に認知可能であり、電子カルテの記載事項全般に基づいて必要な判断を行うことができる。
さらに、入力や表示が、常にシート内の近傍位置で行われるため、目線が飛ぶことなく、入力や入力後の確認が行える。特に、カルテは問診や触診等の診療行為、あるいは治療行為を行いながら入力することが常であるため、目線はカルテと患者とを往来する。したがって、患者の方を向いている際に、入力や表示の位置が変わると、視覚上混乱をきたすといった問題が起きやすいが、本発明の電子カルテでは、そのようなことは生じない。
【００４５】
第三に、ウェブブラウザであるため、アプリケーションをインストールすることなく、直ちに使用できる。また、検査や病名、あるいは薬の追加や削除、報酬改正といった頻繁に生じる様々な改正に直ちに対応できる。すなわち、アプリケーションの場合のように、アプリケーションのアップデートを必要としない。
【００４６】
第四に、カルテとなるシートの書き換えは、検索ワード入力モジュールや複数の選択肢を表示するモジュール等の限定されたモジュールや、選択された選択肢といった限られた表示データのみであるため、高速で書き換えが可能である。また、サーバーとの通信も検索ワードの送信や、それに対応する選択肢の受信といった場合に限られ、いずれも文字情報であるため、送受信の頻度や送受信データ量を最小限に抑えることが可能である。したがって、シートの書き換え等の動作を高速に実行でき、また、通信環境が不安定な場合においても使用できる。
このような特長を備えているため、入力にストレスを感じることなく、入力作業を迅速に行うことができる。そして、書き換え等が高速で行われるため、医師等の思考が途切れることなく、判断に悪影響を与えることがない。
また、病室への回診等の際に、無線ＬＡＮ等の不安定な回線で接続されたモバイル機器を使用し、カルテに入力することも可能である。
【符号の説明】
【００４７】
１  電子カルテ
２  入力項目
３  テキスト入力欄
４  入力開始ボタン
５  検索ワード入力モジュール
６  複数の選択肢を表示するモジュール
７  選択された選択肢
８  属性表示
９  削除のためのボタン
１１  検索手段
１２  選択肢表示手段
１３  選択手段
１００  サーバー
【図１】
2017215879.tif 000003
【図２】
2017215879.tif 000004
【図３】
2017215879.tif 000005
【図４】
2017215879.tif 000006
【図５】
2017215879.tif 000007
【図６】
2017215879.tif 000008
【図７】
2017215879.tif 000009